(57)【要約】【課題】密閉空間に対し、殺菌を行うことの出来るホルマリン殺菌装置を提供する。【解決手段】被殺菌空間であるチャンバ１へ所定の濃度で所定の水蒸気量を含むホルムアルデヒドを発生させるホルムアルデヒド発生器５と、チャンバ１内部の気体を循環させるための循環用ファン２と、循環するホルムアルデヒドを加熱する保温用ヒータ３と、ホルムアルデヒドをチャンバ１から排気するための真空ポンプ６と、排気時にホルムアルデヒドを無害化するための排気触媒８と、排気触媒を動作温度に加熱するための排気ヒーター７とを備える。【選択図】図１
2006122166.tif 000002
【特許請求の範囲】
【請求項１】
被殺菌空間であるチャンバへ所定の濃度で所定の水蒸気量を含むホルムアルデヒドを発生させるホルムアルデヒド発生器と、
前記チャンバ内部の気体を循環させるための循環用ファンと、
当該循環するホルムアルデヒドを加熱する保温用ヒータと、
前記ホルムアルデヒドを前記チャンバから排気するための真空ポンプと、
排気時に前記ホルムアルデヒドを無害化するための排気触媒と、
排気触媒を動作温度に加熱するための排気ヒーターと、
を備えたホルムアルデヒド殺菌装置。
【請求項２】
前記循環用ファンは、前記チャンバ内部のホルムアルデヒドをチャンバ排気口より排気して前記循環用ファンに隣接して設置される前記保温ヒータにより加熱して再びチャンバ吸気口より導入して、チャンバ内のホルムアルデヒドの温度を適温に保持することを特徴とする請求項１に記載のホルムアルデヒド殺菌装置。
【請求項３】
殺菌動作時に、チャンバ内の温度を３５度から４５度に保持することを特徴とする請求項２に記載のホルムアルデヒド殺菌装置。
【請求項４】
前記チャンバ吸気口からも、殺菌動作後のホルムアルデヒドガスの排気動作時に、チャンバ排気口とともに排気することを特徴とする請求項２に記載のホルムアルデヒド殺菌装置。
【請求項５】
所望の水蒸気量を含む殺菌に適する濃度のホルムアルデヒドを発生させるホルムアルデヒド発生器と、
被殺菌空間であるチャンバの吸気口より前記ホルムアルデヒド発生器からのホルムアルデヒドの導入を制御するためのガス電磁弁と、
前記チャンバ内部の気体を循環させるための循環用ファンと、
当該循環するホルムアルデヒドを加熱する保温用ヒータと、
前記ホルムアルデヒドを前記チャンバから排気するための真空ポンプと、
前記チャンバの排気動作時に外気遮断制御するための空気電磁弁と、
該排気動作時に前記ホルムアルデヒドを無害化するための排気触媒と、
前記排気触媒を動作温度に加熱するための排気ヒーターと、
を備えたホルムアルデヒド殺菌装置。
【発明の詳細な説明】
【技術分野】
【０００１】
本発明は、ホルムアルデヒド殺菌装置に係り、特に閉鎖空間や真空チャンバーの殺菌に好適に利用できるものである。
【背景技術】
【０００２】
従来の密閉室の消毒方法においては、殺菌すべき密閉室に適応した殺菌ガス量によって、密閉室の消毒を自動的に行う消毒方法が記載されている（例えば、特許文献１）。
【０００３】
また、濃度センサ、湿度サンサ、温度センサを用いてそれぞれの値が制御器へ入力され、所定の値に維持するホルムアルデヒド殺菌装置が開示されている（例えば、特許文献２、特許文献３）。
【特許文献１】特開平１−５８９４４号公報
【特許文献２】国際公開第０１／０２６６９７号パンフレット
【特許文献３】特開平１１−２２６０９４号公報
【発明の開示】
【発明が解決しようとする課題】
【０００４】
しかしながら、前記従来の構成では、所定の水蒸気量を含有するホルムアルデヒドの発生を制御することが難しく、そのための装置を別途設置する必要があり、また、殺菌動作終了後のホルムアルデヒドを排出する装置も別途設置する必要があるという課題を有していた。
【０００５】
本発明は、前記従来の課題を解決するもので、密閉空間の温度及び湿度及びホルムアルデヒド濃度を制御し、殺菌動作終了後の排気動作も迅速に行う機能を持つホルムアルデヒド殺菌装置を提供することを目的とする。
【課題を解決するための手段】
【０００６】
前記従来の課題を解決するために、本発明のホルムアルデヒド殺菌装置は、被殺菌空間であるチャンバへ所定の濃度で所定の水蒸気量を含むホルムアルデヒドを発生させるホルムアルデヒド発生器と、前記チャンバ内部の気体を循環させるための循環用ファンと、当該循環するホルムアルデヒドを加熱する保温用ヒータと、前記ホルムアルデヒドを前記チャンバから排気するための真空ポンプと、排気時に前記ホルムアルデヒドを無害化するための排気触媒と、排気触媒を動作温度に加熱するための排気ヒーターと、を備えたものである。
【０００７】
また、本発明のホルムアルデヒド殺菌装置は、所望の水蒸気量を含む殺菌に適する濃度のホルムアルデヒドを発生させるホルムアルデヒド発生器と、被殺菌空間であるチャンバの吸気口より前記ホルムアルデヒド発生器からのホルムアルデヒドの導入を制御するためのガス電磁弁と、前記チャンバ内部の気体を循環させるための循環用ファンと、当該循環するホルムアルデヒドを加熱する保温用ヒータと、前記ホルムアルデヒドを前記チャンバから排気するための真空ポンプと、前記チャンバの排気動作時に外気遮断制御するための空気電磁弁と、該排気動作時に前記ホルムアルデヒドを無害化するための排気触媒と、前記排気触媒を動作温度に加熱するための排気ヒーターと、を備えたものである。
【発明の効果】
【０００８】
本発明のホルムアルデヒド殺菌装置によれば、チャンバーなどの密閉空間の内部環境モニター装置を最小限とし、定量のホルムアルデヒドでチャンバー内の殺菌対象物を殺菌し、殺菌終了後にホルムアルデヒドを残留させない動作をおこなうことができる。
【発明を実施するための最良の形態】
【０００９】
以下に、本発明のホルムアルデヒド殺菌装置の実施の形態を図面とともに詳細に説明する。
【実施例１】
【００１０】
図１は、本発明の実施例１におけるホルムアルデヒド殺菌装置の全体構成図を示す。
【００１１】
図１において、被殺菌空間であるチャンバー１には、殺菌対象物を入れる。殺菌対象物の出入り口は、図示せず省略している。
【００１２】
図２は、本発明の実施例１におけるホルムアルデヒド殺菌装置の殺菌動作時の図を示す。
【００１３】
図２において、殺菌動作時は空気電磁弁９を遮断し、真空ポンプ６を停止して真空ポンプ６を遮断状態にし、チャンバー排気口１１から循環用ファン２を経由して保温用ヒーター３で暖めた空気をチャンバー吸気口１２からチャンバー１に循環させ、チャンバー１内部の気体を殺菌に適する温度に暖める。
【００１４】
循環用ファン２は、チャンバ排気口１１からホルムアルデヒドを含む気体を排気し、循環用ファン２に隣接する保温用ヒータ３で加熱して、加熱されたホルムアルデヒドを含む気体をチャンバ吸気口１２を通して再びチャンバ1内に導入することにより、チャンバ1内のホルムアルデヒドを含む気体の温度を所定の温度範囲３５度から４５度に保持する。
【００１５】
チャンバー１内部の空気の温度を一定に保つための温度センサーが保温用ヒーター３の直前に設置されるが、これは図示せず省略している。
【００１６】
また、ガス電磁弁４を解放し、ホルムアルデヒド発生器５からチャンバー体積に応じて殺菌に適する濃度になるように設定した量のホルムアルデヒドと水蒸気を、同じくチャンバー吸気口１２からチャンバー１に導入し、チャンバー１内部の湿度を７０％から８０％に、ホルムアルデヒド濃度を約１０００ｐｐｍに保ち、同時に循環用ファン２と保温用ヒーター３を通してチャンバー１内部の気体を循環させつつ保温することで、チャンバー１内部の温度を殺菌に適した３５度から４５度に保つ。
【００１７】
即ち、ホルムアルデヒド発生器５で、チャンバー１の体積に応じてチャンバー１の温度が３５度から４５度の時にチャンバー１内部が湿度７０％から８０％、ホルムアルデヒド濃度１０００ｐｐｍとなる量の水蒸気とホルムアルデヒドガスを生成して、ガス電磁弁４を介してチャンバ１の吸気口１２よりチャンバ１に注入し、チャンバー１内部の環境を殺菌に適した環境にする。つまり、ホルムアルデヒド発生器５で、チャンバー１の体積に応じた所望の水蒸気量を含有する所定の濃度のホルムアルデヒド量をガス電磁弁４を開放して供給し、チャンバー1内の温度は、循環用ファン２と保温用ヒータ３を動作させて所定の適温に保持するものである。
【００１８】
チャンバー１内部の環境が殺菌に適した環境になった後では、ホルムアルデヒド発生器５を停止してからガス電磁弁４を遮断する。
【００１９】
以上のように、殺菌動作時に、チャンバ1内の温度、ホルムアルデヒド濃度、水蒸気量を殺菌動作に最適な状態に保持することができる。
【００２０】
具体的には、チャンバー１の体積が１立方メートルで動作前のチャンバー１内の水分量が１０ｇであったばあい、ホルムアルデヒド発生器５で１ｇのホルムアルデヒドガスと３０ｇの水蒸気を発生させ、チャンバー１内部を殺菌に適した環境にする。
【００２１】
循環用ファン２と保温用ヒーター３によるチャンバー１内部の空気循環とホルムアルデヒド発生器５によるホルムアルデヒドの発生は同時である必要はなく、ホルムアルデヒドを発生させる前に循環用ファン２と保温用ヒーター３によりチャンバー１内部の気温を３５度から４５度に上げておいても良い。
【００２２】
チャンバー１内部の被殺菌物によって異なる殺菌に必要な時間の間は、チャンバ１の排気口１１よりチャンバー１内部の気体を取り出し、循環用ファン２と保温用ヒータ３を利用して加熱制御し、再びチャンバ吸気口１２へ戻すことで、チャンバー１内部の温度を殺菌効果の高い３５度から４５度になるように保持する。
【００２３】
上記の殺菌に必要な時間が経過した後で排気動作に移行する。
【００２４】
図３は、本発明の第１の実施例におけるホルムアルデヒド殺菌装置の排気動作時の図を示す。図３において、排気動作時は空気電磁弁９を遮断し、ガス電磁弁４を遮断し、真空ポンプ６を動作させることでチャンバー１内部の気体を排気ヒーター７と排気触媒８を経由してホルムアルデヒドを酸化し、無害化させた上で外部に排気する。この実施例では排気触媒８を動作させるために排気触媒８の直前に気体を加熱するための排気ヒーター７を設置して触媒動作時の温度を制御している。
【００２５】
排気触媒の動作温度は、触媒に白金・パラジウム・ロジウム合金をを使用の場合には２６０度以上の温度に加熱する。
【００２６】
また、循環用ファン２は動作していない状態でも真空ポンプ６による排気動作を妨げることはないので、動作させる必要はない。
【００２７】
また、排気動作時にはチャンバー１内部の気体はチャンバー吸気口１２からも排気することで排気に必要な時間を短縮させることができ、気体の逆流を防ぐための弁などを省略することができる。
【００２８】
この排気動作を行うことにより、チャンバー１内部のホルムアルデヒド量を早く減少させられる。排気動作時にはチャンバー１内部の気体をある程度排気できれば良く、真空にするまで排気する必要はない。この排気動作で排気される量により、排気動作と後述の外気導入動作の繰り返し回数がおおむね決まってくる。たとえばチャンバー１内部の気圧を大気圧の１００分の１になるまで排気した場合、１回の動作でチャンバー１内部のホルムアルデヒド量は１００分の１に減少し、殺菌動作に必要なホルムアルデヒド濃度１０００ｐｐｍを環境基準値に合う０．５ｐｐｍ以下にするためには２回の排気動作が必要になる。
【００２９】
排気動作が終了すれば外気導入に移行する。
【００３０】
図４は、本発明の第１の実施例におけるホルムアルデヒド殺菌装置の外気導入時時の図を示す。
【００３１】
図４において、外気導入時は空気電磁弁９を解放し、ガス電磁弁４を遮断し、真空ポンプ６を停止させて遮断状態にした上で外気導入用フィルター１０を経由して外気をチャンバー排気口１１及びチャンバー吸気口１２からチャンバー１内部に導入する。チャンバー排気口１１からも外気を導入することで、外気導入に必要な時間を短縮させることができ、気体の逆流を防ぐための弁などを省略することができる。
【００３２】
外気の環境が清浄な場合は外気導入用フィルター１０は省略することが出来る。また、循環用ファン２は動作させていない場合でも気体の流れを妨げないため、逆転動作させる必要はない。
【００３３】
吸気動作が１回終了後もチャンバー１内部には微量のホルムアルデヒドが残留するため、環境基準値以下の濃度になるまで前項の排気動作とこの項の外気導入動作を繰り返した後で殺菌動作を全て終了する。
【図面の簡単な説明】
【００３４】
【図１】本発明の実施例１におけるホルムアルデヒド殺菌装置の全体構成図
【図２】本発明の実施例１におけるホルムアルデヒド殺菌装置の殺菌動作時を説明するための図
【図３】本発明の実施例１におけるホルムアルデヒド殺菌装置の排気動作時を説明するための図
【図４】本発明の実施例１におけるホルムアルデヒド殺菌装置の外気導入時を説明するための図
【符号の説明】
【００３５】
１  チャンバー
２  循環用ファン
３  保温用ヒーター
４  ガス電磁弁
５  ホルムアルデヒド発生器
６  真空ポンプ
７  排気ヒーター
８  排気触媒
９  空気電磁弁
１０  外気導入用フィルター
１１  チャンバー排気口
１２  チャンバー吸気口
１３  殺菌動作時のエアフロー
１４  排気時のエアフロー
１５  外気導入時のエアフロー
１０
【図１】
2006122166.tif 000003
【図２】
2006122166.tif 000004
【図３】
2006122166.tif 000005
【図４】
2006122166.tif 000006